(57)【要約】 【課題】新たなスタイル検出手段を設けることなく、筐体の回動に応じて表示の回転を適切に制御できるようにする。 【解決手段】中央制御部２１は、回動状況検出部３０によって検出された表示部筐体の回動に応じて表示部の内容を回転制御する。例えば、オープンスタイルから反オープンスタイルに変更した際に表示内容を１８０度回転するため、反オープンスタイルで表示部筐体を開閉してスタンドスタイルに変更したとしても、反オープンスタイルと同じ表示内容となり、スタンドスタイルでの表示の上下の向きが正しい向きとなる。 【選択図】  図１
2009094985.tif 000002
【特許請求の範囲】
【請求項１】
第１筐体と、第２筐体と、前記第１筐体に対して前記第２筐体を折り畳み開閉自在及び回動自在に連結するヒンジ部とを備えた端末装置であって、
前記第２筐体に設けられた表示部と、
前記ヒンジ部による前記第１筐体に対する前記第２筐体の回動を検出する検出手段と、
この検出手段による回動検出に応じて前記表示部の内容を回転する表示制御を行う表示制御手段と、
を具備したことを特徴とする端末装置。
【請求項２】
前記表示制御手段は、前記第２筐体の回動開始が前記検出手段によって検出された場合に、前記表示部の内容を回転する表示制御を行う、
ようにしたことを特徴とする請求項１記載の端末装置。
【請求項３】
前記表示制御手段は、前記第２筐体の回動終了が前記検出手段によって検出された場合に、前記表示部の内容を回転する表示制御を行う、
ようにしたことを特徴とする請求項１記載の端末装置。
【請求項４】
カメラ部で撮影される画像を前記表示部に表示させる撮像手段と、
この撮像手段が動作中であるか否かを判別する判別手段と、
を更に備え、
前記表示制御手段は、前記検出手段による検出結果と前記判別手段による判別結果とに基づいて、前記表示部の内容を回転する表示制御を行うと共に鏡面反転する表示制御を行う、
ようにしたことを特徴とする請求項１記載の端末装置。
【請求項５】
前記表示制御手段は、前記第２筐体の回動開始、回動終了の何れか一方が前記検出手段によって検出され、かつ、前記判別手段によって撮像手段が動作中であることが判別された場合に、前記表示部の内容を鏡面反転する表示制御を行う、
ようにしたことを特徴とする請求項４記載の端末装置。
【請求項６】
前記表示制御手段は、前記第２筐体の回動開始、回動終了の何れか一方が前記検出手段によって検出され、かつ、前記判別手段によって撮像手段が動作中でないと判別された場合に、前記表示部の内容を回転する表示制御を行う、
ようにしたことを特徴とする請求項４記載の端末装置。
【請求項７】
コンピュータに対して、
第１筐体に対して第２筐体を折り畳み開閉自在及び回動自在に連結するヒンジ部による前記第１筐体に対する前記第２筐体の回動を検出する機能と、
前記回動検出に応じて、前記第２筐体に設けられた表示部の内容を回転する表示制御を行う機能と、
を実現させるためのプログラム。
【発明の詳細な説明】
【技術分野】
【０００１】
この発明は、第１筐体に対して第２筐体を折り畳み開閉自在及び回動自在に連結するヒンジ部を備えた端末装置及びプログラムに関する。
【背景技術】
【０００２】
従来、操作部筐体と表示部筐体とを折り畳み開閉自在及び回動自在にヒンジ部で連結した筐体構造を有する端末装置としては、所謂、２軸ヒンジタイプの携帯電話機が知られている（特許文献１参照）。この携帯電話機は、主操作部を有する操作部筐体と主表示部を有する表示部筐体との連結状態に応じて装置本体の形態を複数のスタイルに変更可能となっている。すなわち、主操作部と主表示部とが対面するように操作部筐体と表示部筐体とを内側に折り畳んで閉じた状態（以下、クローズスタイルと称する）と、このクローズタイルから折り畳みを開いた状態（以下、オープンスタイルと称する）のほか、このオープンスタイルから何れか一方の筐体を開閉軸とほぼ直交する軸で１８０度回動させた状態（以下、反オープンスタイルと称する）と、この反オープンスタイルから折り畳んで閉じて表示部筐体に設けられている主表示部を外側に向けた状態（以下、ビュースタイルと称する）とを有している。
【０００３】
また、各スタイルにおける主表示部の上下の向きは、ユーザが操作部筐体を手に持った状態を考慮して、オープンスタイルにおいては、ヒンジ部側を下とする向きとなる。反オープンスタイルになってもその向きは変わらず、ビュースタイルになるときに上下方向が切り替わって（１８０度回転して）、ヒンジ部側を上とする向きとなる。このようにビュースタイルでの表示部の上下の向きを、ヒンジ部側を上とする向きとすることで、ユーザは、オープンスタイルの状態とビュースタイルの状態とで操作部筐体を持ち直さずに、この端末装置を使用することができるようになる。また、反対にビュースタイルから反オープンスタイルにする際には、ビュースタイルから少し折り畳みを開いたときに（ビュースタイルをやめたときに）、上下方向が切り替わって（１８０度回転して）、ヒンジ部側を下とする向きとなる。言い換えると、ビュースタイルか否かに基づいて表示の回転を制御している。
【特許文献１】特開２００５−３１８１６４号公報
【発明の開示】
【発明が解決しようとする課題】
【０００４】
しかしながら、上述のようにビュースタイルになるとき（あるいはビュースタイルをやめるとき）に表示の回転を制御すると、以下の問題を生じる。すなわち、ビュースタイルから操作部筐体と表示部筐体とを所定の折り畳み角度だけ開き、ヒンジ部とは反対側の両筐体の端部を接地させることで端末装置を立てた状態（以下、この状態をスタンドスタイルと称する）として端末装置を使用する場合に、表示が回転してしまい（ヒンジ部側を下とする向きで表示されてしまい）、正しい向きで表示されなくなってしまう（天地が逆の倒立した状態で表示されてしまう）。このように従来ではスタンドスタイルでの使用は想定されていなかった。
【０００５】
そこで、スタンドスタイルで正しい向きで表示されるようにすることも考えられるが、そのためには、スタンドスタイルになったことを検出するための手段が必要になる。例えば、折り畳みを最大に開いたとき、閉じたときの検出に加えて、新たにスタンドスタイルの角度になったときを検出することが必要になるが、携帯電話機などの端末装置にあっては、近年、小型化することが求められているため、そのような検出手段を設けることは、新たな部品点数の増加や部品構造の複雑化の要因となり、小型化の阻害要因ともなる。
【０００６】
この発明の課題は、新たなスタイル検出手段を設けることなく、筐体の回動に応じて表示の回転を適切に制御できるようにすることである。
【課題を解決するための手段】
【０００７】
請求項１記載の発明は、第１筐体と、第２筐体と、前記第１筐体に対して前記第２筐体を折り畳み開閉自在及び回動自在に連結するヒンジ部とを備えた端末装置であって、前記第２筐体に設けられた表示部と、前記ヒンジ部による前記第１筐体に対する前記第２筐体の回動を検出する検出手段と、この検出手段による回動検出に応じて前記表示部の内容を回転する表示制御を行う表示制御手段とを具備したことを特徴とする。
更に、コンピュータに対して、上述した請求項１記載の発明に示した主要機能を実現させるためのプログラムを提供する（請求項７記載の発明）。
【０００８】
なお、上述した請求項１記載の発明は次のようなものであってもよい。
前記表示制御手段は、前記第２筐体の回動開始が前記検出手段によって検出された場合に、前記表示部の内容を回転する表示制御を行う（請求項２記載の発明）。
【０００９】
前記表示制御手段は、前記第２筐体の回動終了が前記検出手段によって検出された場合に、前記表示部の内容を回転する表示制御を行う（請求項３記載の発明）。
【００１０】
カメラ部で撮影される画像を前記表示部に表示させる撮像手段と、この撮像手段が動作中であるか否かを判別する判別手段とを更に備え、前記表示制御手段は、前記検出手段による検出結果と前記判別手段による判別結果とに基づいて、前記表示部の内容を回転する表示制御を行うと共に鏡面反転する表示制御を行う（請求項４記載の発明）。
【００１１】
請求項４記載の発明において、前記表示制御手段は、前記第２筐体の回動開始、回動終了の何れか一方が前記検出手段によって検出され、かつ、前記判別手段によって撮像手段が動作中であることが判別された場合に、前記表示部の内容を鏡面反転する表示制御を行うようにしてもよい（請求項５記載の発明）。
【００１２】
請求項４記載の発明において、前記表示制御手段は、前記第２筐体の回動開始、回動終了の何れか一方が前記検出手段によって検出され、かつ、前記判別手段によって撮像手段が動作中でないと判別された場合に、前記表示部の内容を回転する表示制御を行うようにしてもよい（請求項６記載の発明）。
【発明の効果】
【００１３】
この発明によれば、筐体の回動に応じて表示の回転を適切に制御することができ、新たなスタイル検出手段を設けることがなく、しかも、使い易い端末装置を提供することができる。
【発明を実施するための最良の形態】
【００１４】
以下、図１〜図１５を参照して本発明の実施例を説明する。
図１は、端末装置として適用した携帯電話機が利用可能な通信ネットワークシステムを示したブロック図である。
携帯電話機１は、通話機能（電話機能）、電子メール機能、インターネット接続機能（Ｗｅｂアクセス機能）、データ通信機能、カメラ機能などが備えられており、最寄りの基地局２Ａ、交換機２Ｂから無線通信網（移動体通信網）２に接続されると、移動体通信網２を介して他の携帯電話機１との間で通話可能状態となり、また、移動体通信網２、メールサーバ（図示せず）を介して電子メールの送受信が可能となる。また、移動体通信網２を介して他の携帯電話機１との間でメールアドレス、ファイルなどのデータをデータ通信によって送受信可能となっている。
【００１５】
図２は、携帯電話機１の外観図である。
携帯電話機１は、主操作部１１を備えた操作部筐体１２と主表示部１３を備えた表示部筐体１４とを折り畳み開閉自在及び回動自在にヒンジ部１５で連結した２軸ヒンジタイプの電話機である。すなわち、ヒンジ部１５には操作部筐体１２と表示部筐体１４とを折り畳み開閉するための開閉用ヒンジ軸と、この開閉用ヒンジ軸とほぼ直交し、一方の筐体を他方の筐体に対して回動するための回動用ヒンジ軸とが設けられており、このヒンジ部１５を介して操作部筐体１２と表示部筐体１４とは折り畳み開閉自在及び回動自在に連結されている。
【００１６】
図２（Ａ）は、装置本体を構成する操作部筐体１２と表示部筐体１４との折り畳みを開いて主操作部１１と主表示部１３とを露出させた状態のオープンスタイル、つまり、主表示部１３が主操作部１１の所定の面（主操作部１１が配置されている面）とほぼ同一の向きとなるオープンスタイルを示している。（Ｂ）は、このオープンスタイルの状態においてその反対側から見た図であり、操作部筐体１２における主操作部１１の反対側の面には、カメラ機能を構成する撮影レンズ部１６が設けられている。
【００１７】
このように構成された２軸ヒンジタイプの携帯電話機１は、操作部筐体１２と表示部筐体１４との連結状態に応じて携帯電話機１の形態を複数のスタイルに変更可能なものであり、上述したクローズスタイル、オープンスタイル、反オープンスタイル、ビュースタイルのほか、反オープンスタイルとビュースタイルとの途中において、操作部筐体１２と表示部筐体１４を両脚として携帯電話機１を立てたスタンドスタイルを有している。なお、クローズスタイルからビュースタイルあるいはスタンドスタイルに変更する場合には、オープンスタイル、反オープンスタイルを経由して行われる。
【００１８】
図３は、携帯電話機１の基本的な構成要素を示したブロック図である。
中央制御部２１は、ＲＯＭ２２内の各種のプログラムに応じてこの携帯電話機１の全体動作を制御する中央演算処理装置を有している。ＲＯＭ２２は、プログラム領域とデータ領域とを有し、このプログラム領域には、後述する図１２〜図１５に示す動作手順に応じて本実施例を実現するためのプログラムが格納されている。ＲＡＭ２３は、ワーク領域を有する内部メモリで、後述する表示制御テーブルＨＴなどを有している。
【００１９】
無線通信部２４は、無線部、ベースバンド部、多重分離部などを備え、例えば、通話機能、電子メール機能、インターネット接続機能、データ通信機能の動作時に、最寄りの基地局２Ａとの間でデータの送受信を行うもので、通話機能の動作時にはベースバンド部の受信側から信号を取り込んで受信ベースバンド信号に復調したのち、音声信号処理部２５を介して送話スピーカＳＰから音声出力させ、また、受話マイクＭＣからの入力音声データを音声信号処理部２５から取り込み、送信ベースバンド信号に符号化したのち、ベースバンド部の送信側に与えてアンテナから発信出力させる。
【００２０】
表示部２６は、高精細液晶あるいは有機ＥＬなどを使用した主表示部１３のほか、副表示部（図示せず）を含むもので、中央制御部２１による制御下で主表示部１３に対する表示制御を行う。操作部２７は、ダイヤル入力、文字入力、コマンド入力などを行うもので、中央制御部２１は、操作部２７からの入力信号に応じた処理を実行する。カメラ撮像部２８は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームの調整制御、オートフォーカス時の駆動制御、シャッター駆動制御、露出、ホワイトバランスなどを制御する。このカメラ撮像部２８によって撮影された画像は、表示部２６の主表示部１３に表示される。ＲＴＣ（リアルタイムクロックモジュール）２９は、時計部を構成するもので、中央制御部１１は、ＲＴＣ２９から現在日時を取得する。
【００２１】
回動状況検出部３０は、オープンスタイルから反オープンスタイルに変更したり、反オープンスタイルからオープンスタイルに変更したりするために、操作部筐体１２に対して表示部筐体１４が回動された際に、その回動状況（回動開始、回動途中、回動終了）を検出するほか、回動の角度を検出する。すなわち、回動状況検出部３０は、回動の角度が０度あるいは１８０度から外れたときを回動開始として検出し、０度あるいは１８０度になったときを回動終了として検出し、その間を回動途中として検出するほか、回動角度０度あるいは１８０度を検出するようにしている。この場合、中央制御部２１は、回動状況検出部３０によって検出された回動角度が０度の場合にはオープンスタイルであると判別し、１８０度の場合には反オープンスタイルであると判別する。
【００２２】
開閉状況検出部３１は、クローズスタイルからオープンスタイルに変更したり、オープンスタイルからクローズスタイルに変更したり、反オープンスタイルからビュースタイルに変更したり、ビュースタイルから反オープンスタイルに変更したりするために、操作部筐体１２に対して表示部筐体１４が開閉された際に、その開閉状況（開閉開始、開閉途中、開閉終了）を検出するほか、開閉の角度を検出する。すなわち、開閉状況検出部３１は、開閉の角度が０度あるいは１８０度から外れたときを開閉開始として検出し、０度あるいは１８０度になったときを開閉終了として検出し、その間を開閉途中として検出するほか、開閉角度の０度あるいは１８０度を検出するようにしている。この場合、中央制御部２１は、開閉状況検出部３１によって検出された開閉角度が０度の場合にはクローズスタイルあるいはビュースタイルであると判別し、１８０度の場合にはオープンスタイルあるいは反オープンスタイルであると判別する。
【００２３】
図４は、回動状況検出部３０の機構部分を説明するための図である。
図４（Ａ）、（Ｂ）は、ヒンジ部１５を構成する回動用ヒンジ軸の概要を説明するもので、操作部筐体１２側に固定されている回動用ヒンジ軸１５ａと、表示部筐体１４側に固定されている回動用ヒンジ軸１５ｂとの接合面（端面）において、ヒンジ軸１５ａの端面には、図中、黒丸を付して示した２つの凹部１５ｃが設けられ、また、反対側のヒンジ軸１５ｂの端面には、図中、白抜きの丸で示した１つの凸部１５ｄが設けられている。この２つの凹部１５ｃは、ヒンジ軸１５ａの端面縁部にその軸心を挟んで対称位置に配置されたもので、凸部１５ｄが何れかの凹部１５ｃに入ったか、出始めたかによって回動状況検出部３０は、各凹部１５ｃに対応するマイクロスイッチからのスイッチ信号に基づいて表示部筐体１４の回動終了、回動開始を検出する。図４（Ｃ）は、凸部１５ｄが回動角度０度用の凹部１５ｃに入っている状態（回動角度０度検出時）を示し、（Ｄ）は、凸部１５ｄが何れの凹部１５ｃにも入っていない状態（回動途中検出時）を示し、（Ｅ）は、凸部１５ｄが回動角度１８０度用の凹部１５ｃに入っている状態（回動角度１８０度検出時）を示している。
【００２４】
図５は、開閉状況検出部３１の機構部分を説明するための図である。
この開閉状況検出部３１は上述した回動状況検出部３０と基本的に同様で、図５（Ａ）、（Ｂ）に示すように、操作部筐体１２側に固定されている開閉用ヒンジ軸１５ｅと、表示部筐体１４側に固定されている開閉用ヒンジ軸１５ｆとの接合面（端面）において、ヒンジ軸１５ｅの端面には２つの凹部１５ｇが設けられ、反対側のヒンジ軸１５ｆの端面には１つの凸部１５ｈが設けられている。この２つの凹部１５ｇは、ヒンジ軸１５ｅの端面縁部にその軸心を挟んで対称位置に配置されたもので、凸部１５ｈが何れかの凹部１５ｇに入ったか、出始めたかによって開閉状況検出部３１は、各凹部１５ｇに対応するマイクロスイッチからのスイッチ信号に基づいて表示部筐体１４の開閉終了、開閉開始を検出する。図５（Ｃ）は、凸部１５ｈが開閉角度０度用の凹部１５ｇに入っている状態（開閉角度０度検出時）を示し、（Ｄ）は、凸部１５ｈが何れの凹部１５ｇにも入っていない状態（開閉途中検出時）を示し、（Ｅ）は、凸部１５ｈが開閉角度１８０度用の凹部１５ｇに入っている状態（開閉角度１８０度検出時）を示している。
【００２５】
図６は、表示制御テーブルＨＴを説明するための図である。
表示制御テーブルＨＴは、現在のスタイルに応じてどのような表示制御を行うかを示す表示制御内容を記憶するもので、表示制御内容は「カメラ機能のモニタ表示中」の場合の表示制御と「それ以外表示中」の場合の表示制御とに分かれている。「カメラ機能のモニタ表示中」はカメラ機能が起動してこれから撮影される画像を主表示部１３に表示させている場合の表示制御を示したもので、「上下方向」、「画像の正／鏡」を有している。
【００２６】
「上下方向」は、スタイルに応じて変化する携帯電話機１の上下の向き、つまり、ヒンジ部１５が下に位置する向きか上に位置する向きかに応じてヒンジ部方向を下にした表示あるいはヒンジ部方向を上にした表示を行うかを示したもので、中央制御部２１は、この「上下方向」に応じて主表示部１３の内容を上下方向に１８０度回転する表示制御を行うようにしている。「画像の正／鏡」は、これから撮影される画像をそのままの正像として、主表示部１３に表示させるのか、その左右を反転した鏡像として表示させるのかを示したもので、中央制御部２１は、「画像の正／鏡」に応じて正像、鏡像を切り替える表示制御を行うようにしている。なお、「それ以外表示中」は、上述した「カメラ機能のモニタ表示中」以外での表示制御を示したもので、上述した「上下方向」を有している。
【００２７】
このように構成された表示制御テーブルＨＴにおいて、「クローズスタイル」に対応する「カメラ機能のモニタ表示中」、「それ以外表示中」には、非表示状態であることを示す“表示オフ”が設定されている。図７は、クローズスタイルでの外観図であり、図中、点線は開閉用ヒンジ軸（開閉軸）を示し、矢印は表示部筐体１４の開方向を示している。このクローズスタイルでは主表示部１３の内容を消去する表示制御が行われる。  
【００２８】
また、「オープンスタイル」に対応する「カメラ機能のモニタ表示中」の「上下方向」には、“ヒンジ部方向を下”が設定され、「画像の正／鏡」には、“正像”が設定され、「それ以外表示中」には、“ヒンジ部方向を下”が設定されている。図８（Ａ）はオープンスタイルでの外観図であり、図中、点線は回動用ヒンジ軸（回動軸）を示し、矢印は表示部筐体１４の回動方向を示している。このオープンスタイルでの表示制御も従来と同様で、「それ以外表示中」の場合に、従来のメニュー画面（図８（Ｂ）参照）に対して本実施例のメニュー画面も同様の表示内容となり（図８（Ｃ）参照）、ヒンジ部１５を下にした表示制御が行われる。また、「カメラ機能のモニタ表示中」の場合も従来と同様に、ヒンジ部１５を下にして正像を表示する表示制御が行われる（図８（Ｄ）参照）。
【００２９】
また、「反オープンスタイル」に対応する「カメラ機能のモニタ表示中」の「上下方向」には、“ヒンジ部方向を下”が設定され、「画像の正／鏡」には、“鏡像”が設定され、「それ以外表示中」には、“ヒンジ部方向を上”が設定されている。図９（Ａ）は反オープンスタイルでの外観図であり、（Ｂ）は、反オープンスタイルを反対側から見た外観図である。この反オープンスタイルにおいては、「それ以外表示中」の場合、従来のメニュー画面（図９（Ｃ）参照）に対して本実施例のメニュー画面は、その表示内容を１８０度回転して上下逆向きとすることによってヒンジ部１５を上にした表示制御が行われる（図９（Ｄ）参照）。また、「カメラ機能のモニタ表示中」の場合、ヒンジ部１５を下にして鏡像を表示する表示制御が行われる（図９（Ｅ）参照）。
【００３０】
「スタンドスタイル」に対応する「カメラ機能のモニタ表示中」の「上下方向」には、“ヒンジ部方向を上”が設定され、「画像の正／鏡」には、“正像”が設定され、「それ以外表示中」には、“ヒンジ部方向を上”が設定されている。図１０（Ａ）はスタンドスタイルでの外観図である。このスタンドスタイルにおいては、「それ以外表示中」の場合、従来のメニュー画面はその表示内容が上下逆となるが（図１０（Ｂ）参照）、本実施例のメニュー画面は、「反オープンスタイル」に引き続いてヒンジ部１５を上にした表示内容となる（図１０（Ｃ）参照）。また、「カメラ機能のモニタ表示中」の場合、ヒンジ部１５を上にして正像を表示する表示制御が行われる（図１０（Ｄ）参照）。
【００３１】
「ビュースタイル」に対応する「カメラ機能のモニタ表示中」の「上下方向」には、“ヒンジ部方向を上”が設定され、「画像の正／鏡」には、“正像”が設定され、「それ以外表示中」には、“ヒンジ部方向を上”が設定されている。図１１（Ａ）はビュースタイルでの外観図である。このビュースタイルスタイルにおいては、「それ以外表示中」の場合、従来と同様であり、例えば、従来のメニュー画面（図１１（Ｂ）参照）に対して本実施例のメニュー画面も同様の表示内容となる（図１１（Ｃ）参照）。また、「カメラ機能のモニタ表示中」の場合、ヒンジ部１５を上にして正像を表示する表示制御が行わせる（図１１（Ｄ）参照）。
【００３２】
次に、この実施例における携帯電話機１の動作概念を図１２〜図１５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３３】
図１２は、電源投入に伴って実行開始される携帯電話機１の全体動作を示したフローチャートである。なお、電源投入時には、主操作部１１に設けられている電源キーを操作する場合に限らず、操作部筐体１２あるいは表示部筐体１４の側面部に設けられている電源キー（サイドキー、不図示）を操作してもよい。先ず、中央制御部２１は、電源を投入する電源オン操作が行われると（ステップＡ１でＹＥＳ）、電源オンに応じた表示制御処理を実行する（ステップＡ２）。
【００３４】
図１３は、電源オン操作に応じた表示制御処理（図１２のステップＡ２）を詳述するためのフローチャートである。先ず、中央制御部２１は、開閉状況検出部３１によって検出された開閉角度を取得し（ステップＢ１）、凸部１５ｈが開閉角度０度用の凹部１５ｇに入っているか、つまり、開閉角度は０度であるかを調べ（ステップＢ２）、開閉角度が０度であれば、回動状況検出部３０によって検出された回動角度を取得し（ステップＢ３）、凸部１５ｄが回動角度０度用の凹部１５ｃに入っているか、つまり、回動角度は０度 であるかを調べる（ステップＢ４）。
【００３５】
いま、開閉角度及び回動角度が０度であれば（ステップＢ４でＹＥＳ）、中央制御部２１は、クローズスタイルであると判断し、各検出結果に基づいて表示制御テーブルＨＴの「それ以外表示中」を参照して、主表示部１３などの表示を消去する表示オフ処理を実行する（ステップＢ５）。また、回動角度が０度でなければ（ステップＢ４でＮＯ）、つまり、回動途中あるいは回動角度が１８０度の場合には、ヒンジ部方向を上にした表示となるように主表示部１３に対する表示制御を行う（ステップＢ６）。ここで、開閉角度が０度で回動角度が１８０度の場合とはビュースタイルの状態であり、主表示部１３にはメニュー画面などがヒンジ部方向を上にした状態で表示される（図１１（Ｃ）参照）。また、開閉角度が０度で回動途中の場合にもビュースタイルと同じ状態で表示される。
【００３６】
開閉角度が０度でない場合には（ステップＢ２でＮＯ）、凸部１５ｈが何れの凹部１５ｇにも入っていないか（開閉途中か）を調べ（ステップＢ７）、開閉途中であれば、回動角度を検出し（ステップＢ８）、凸部１５ｄが回動角度０度用の凹部１５ｃに入っているか（回動角度０度か）あるいは何れの凹部１５ｃにも入っていないか（回動途中か）を調べる（ステップＢ９）。いま、開閉途中において回動角度が０度あるいは回動途中であれば（ステップＢ９でＹＥＳ）、ヒンジ部方向を下にした表示となるように主表示部１３に対する表示制御を行う（ステップＢ１０）。ここで、開閉途中で回動角度が０度の場合とはクローズスタイルからオープンスタイル、逆にオープンスタイルからクローズスタイルへの変更途中の状態であり、主表示部１３にはメニュー画面などがオープンスタイルと同じ状態で表示される（図８（Ｃ）参照）。また、開閉途中で回動途中の場合にもオープンスタイルと同じ状態で表示される。
【００３７】
開閉途中において回動角度が０度あるいは回動途中でなければ（ステップＢ９でＮＯ）、つまり、回動角度が１８０度の場合には、ヒンジ部方向を上にした表示となるように主表示部１３に対する表示制御を行う（ステップＢ１１）。ここで、開閉途中において回動角度が１８０度の場合とは、反オープンスタイルからビュースタイルへの変更途中、逆にビュースタイルから反オープンスタイルへの変更途中の状態であり、図１０（Ａ）のスタンドスタイルに相当している。この場合、主表示部１３にはメニュー画面などがスタンドスタイルと同じ状態で表示される（図１０（Ｃ）参照）。
【００３８】
一方、開閉角度が０度ではなく（ステップＢ２でＮＯ）、開閉途中でもない場合（ステップＢ７でＮＯ）、つまり、開閉角度が１８０度の場合には、ステップＢ１２に移り、回動角度を検出して回動角度は０度あるいは回動途中かを調べる（ステップＢ１３）。いま、回動角度が０度あるいは回動途中であれば（ステップＢ１３でＹＥＳ）、ヒンジ部方向を下にした表示となるように主表示部１３に対する表示制御を行うが（ステップＢ１４）、回動角度が０度あるいは回動途中でなければ（ステップＢ１３でＮＯ）、つまり、回動角度が１８０度の場合には、ヒンジ部方向を上にした表示となるように主表示部１３に対する表示制御を行う（ステップＢ１５）。
【００３９】
ここで、開閉角度が１８０度で回動角度が０度の場合とは、オープンスタイルの状態であり、主表示部１３にはメニュー画面などがヒンジ部方向を下にした状態で表示される（図８（Ｃ）参照）。また、開閉角度が１８０度で回動途中の場合とは、オープンスタイルから反オープンスタイルへの変更途中、逆に反オープンスタイルからオープンスタイルへの変更途中の状態であり、メニュー画面などがオープンスタイルと同じ状態で表示される。また、開閉角度が１８０度で回動角度が１８０度の場合とは、反オープンスタイルの状態であり、メニュー画面などがヒンジ部方向を上にした状態で表示される（図９（Ｄ）参照）。つまり、反オープンスタイルでは、メニュー画面などが倒立した状態で表示される。
【００４０】
このようにして電源オン操作に応じた表示制御処理を実行したのち（図１２のステップＡ２）、中央制御部２１は、無線通信部２４を作動させて現在位置を登録すると共に所定の待受画像を読み出して表示させながら電話／メールの待受状態となる待受処理を実行する（ステップＡ３）。この待受状態において無線通信部２４を介して着信を検出すると（ステップＡ４でＹＥＳ）、通話処理を実行して通話可能状態とする（ステップＡ５）。また、カメラ機能を起動させる起動操作が行われると（ステップＡ６でＹＥＳ）、カメラ起動に応じた表示制御処理を実行する（ステップＡ７）。
【００４１】
図１４は、カメラ起動に応じた表示制御処理（図１２のステップＡ７）を詳述するためのフローチャートである。なお、カメラ起動に応じた表示制御処理は、上述した電源オン操作に応じた表示制御処理と基本的には同様であるため、それを簡単に説明するものとする。すなわち、開閉角度、回動角度に応じてヒンジ部方向を上あるいは下とする表示制御は、開閉角度が１８０度で回動角度が１８０度の場合には、ヒンジ部方向を下にした状態で表示される（ステップＣ１９）が、それ以外の場合には、電源オン操作の場合と同様である。カメラ起動に応じた表示制御処理の場合には、このような上下方向の切り替え制御のほか、正像あるいは鏡像の切り替え制御が追加される。
【００４２】
先ず、中央制御部２１は、開閉角度を検出し（ステップＣ１）、開閉角度０度であれば（ステップＣ２でＹＥＳ）、回動角度を検出し（ステップＣ３）、回動角度が０度であれば（ステップＣ４でＹＥＳ）、クローズスタイルであると判断し、中央制御部２１は、各検出結果に基づいて表示制御テーブルＨＴの「カメラ機能のモニタ表示中」を参照して、主表示部１３などの表示を消去する表示オフ処理を実行する（ステップＣ５）。また、回動角度が０度ではなく、回動途中あるいは回動角度が１８０度の場合には（ステップＣ４でＮＯ）、ヒンジ部方向を上にした表示となるように主表示部１３に対する表示制御を行うほか（ステップＣ６）、画像を正像表示するための表示制御を行う（ステップＣ７）。
【００４３】
開閉角度が０度でない場合には（ステップＣ２でＮＯ）、開閉途中かを調べ（ステップＣ８）、開閉途中であれば、回動角度を検出し（ステップＣ９）、回動角度は０度あるいは回動途中かを調べる（ステップＣ１０）。ここで、回動角度が０度あるいは回動途中であれば、ヒンジ部方向を下にした表示となるように主表示部１３に対する表示制御を行うほか（ステップＣ１１）、画像を正像表示するための表示制御を行うが（ステップＣ１２）、回動角度が０度あるいは回動途中ではなく、１８０度の場合には（ステップＣ１０でＮＯ）、ヒンジ部方向を上にした表示となるように主表示部１３に対する表示制御を行うほか（ステップＣ１３）、画像を正像表示するための表示制御を行う（ステップＣ１４）。
【００４４】
開閉角度が０度ではなく（ステップＣ２でＮＯ）、開閉途中でもない場合（ステップＣ８でＮＯ）、つまり、開閉角度が１８０度の場合には、回動角度を検出し（ステップＣ１５）、回動角度が０度あるいは回動途中であれば（ステップＣ１６でＹＥＳ）、ヒンジ部方向を下にした表示となるように主表示部１３に対する表示制御を行うほか（ステップＣ１７）、画像を正像表示するための表示制御を行う（ステップＣ１８）。また、回動角度が０度あるいは回動途中ではなく、回動角度が１８０度の場合には（ステップＣ１６でＮＯ）、ヒンジ部方向を下にした表示となるように主表示部１３に対する表示制御を行うほか（ステップＣ１９）、画像を鏡像表示するための表示制御を行う（ステップＣ２０）。
【００４５】
このようにしてカメラ起動に応じた表示制御処理（図１２のステップＡ７）を実行したのち、中央制御部２１は、カメラ撮像部２８を作動させてこれから撮影される画像を取り込みながら現在のスタイルに応じた表示制御を行うカメラ機能起動処理に移る（ステップＡ８）。このようにしてカメラ機能を起動した状態において、カメラ機能終了操作が行われると（ステップＡ９でＹＥＳ）、カメラ撮像部２８を停止させて撮影画像の表示を消去するカメラ機能終了処理に移る（ステップＡ１０）。
【００４６】
一方、中央制御部２１は、回動状況検出部３０をアクセスしてその回動状況を監視している状態において、表示部筐体１４の回動を検出すると（ステップＡ１１でＹＥＳ）、回動検出に応じた表示制御処理に移る（ステップＡ１２）。なお、電源オフ操作が行われると（ステップＡ１３でＹＥＳ）、表示内容を消去するなどの電源オフ処理を実行する（ステップＡ１４）。また、その他の操作として、例えば、発信操作、カメラ機能以外の機能を起動操作、その終了操作などが行われると（ステップＡ１５でＹＥＳ）、その操作に応じた発信処理、機能動処理・終了処理などを実行する（ステップＡ１６）。
【００４７】
図１５は、回動検出に応じた表示制御処理（図１２のステップＡ１２）を詳述するためのフローチャートである。先ず、中央制御部２１は、回動状況検出部３０の検出結果に基づいて１８０度への回動終了（オープンスタイルから反オープンスタイルへの変更時点）あるいは１８０度からの回動開始（反オープンスタイルから少し回し始めた時点）であるかを調べる（ステップＤ１）。すなわち、凸部１５ｄが１８０度用の凹部１５ｃに入ったか、あるいはその凹部１５ｃから出始めたかによって回動状況検出部３０は、表示部筐体１４の回動終了あるいは回動開始を検出する。いま、回動終了時点あるいは回動開始時点ではなく、回動途中であれば（ステップＤ１でＮＯ）、この図１５のフローから抜けるが、回動終了時点あるいは回動開始時点であれば（ステップＤ１でＹＥＳ）、カメラ機能での撮影画像を主表示部１３に表示しているか、つまり、カメラ機能のモニタ表示中であるかを調べる（ステップＤ２）。
【００４８】
いま、カメラ機能のモニタ表示中でなければ（ステップＤ２でＮＯ）、例えば、主表示部１３にメニュー画面などが表示されている場合には、この主表示部１３の内容を１８０度回転してその表示内容を切り替える表示制御を行う（ステップＤ３）。その際、回動終了あるいは回動開始の前に、主表示部１３の内容がヒンジ部方向を上にした表示であれば、ヒンジ部方向を下にした表示に切り替え制御され、逆にヒンジ部方向を下にした表示であれば、ヒンジ部方向を上にした表示に切り替え制御される。
【００４９】
従って、例えば、オープンスタイルから反オープンスタイルに変更した時点（変更した直後）で、主表示部１３の内容は、図８（Ｃ）の状態から図９（Ｄ）の状態に変更される。そして、この反オープンスタイルにおいて、操作部筐体１２に対して表示部筐体１４を開閉して、図１０（Ａ）のスタンドスタイルに変更したとしても、反オープンスタイルと同じ表示内容のままとなっているので、スタンドスタイルでは図１０（Ｃ）に示すように主表示部１３内のメニュー画面などは正立した状態で表示される。同様に、反オープンスタイルあるいはスタンドスタイルから表示部筐体１４を少し回し始めた時点（回動開始時点）で、主表示部１３の内容は、図９（Ｄ）の状態から図８（Ｃ）の状態に変更される。すなわち、反オープンスタイルあるいはスタンドスタイルで回動を開始した時点で反オープンスタイルでの表示状態が解除されてオープンスタイルの表示状態に変更される。
【００５０】
また、回動終了あるいは回動開始時にカメラ機能のモニタ画像が主表示部１３に表示されている状態（カメラ機能のモニタ表示中）であれば（ステップＤ２でＹＥＳ）、開閉角度を検出し（ステップＤ４）、この開閉角度に応じてモニタ画像の表示制御を行う。すなわち、開閉角度が１８０度であれば（ステップＤ５でＹＥＳ）、つまり、オープンスタイルあるいは反オープンスタイルにおいて回動終了あるいは回動開始時点を検出すると、主表示部１３の内容（モニタ画像）を上述した回動軸を軸として鏡面反転する表示制御を行う（ステップＤ６）。その際、回動終了あるいは回動開始の前に、主表示部１３に表示されているモニタ画像が正像表示であれば、鏡像表示に切り替え、逆に鏡像表示であれば、正像表示に切り替える。
【００５１】
従って、例えば、オープンスタイルから反オープンスタイルに変更した時点（変更した直後）で、主表示部１３内のモニタ画像は、図８（Ｄ）に示す正像表示から図９（Ｅ）に示す鏡像表示に変更される。同様に、例えば、反オープンスタイルから表示部筐体１４を少し回し始めた時点（回動開始時点）でモニタ画像は、図９（Ｅ）の鏡像表示の状態から図８（Ｃ）の正像表示の状態に変更される。すなわち、反オープンスタイルで回動を開始した時点で反オープンスタイルの表示状態が解除されてオープンスタイルの表示状態に変更される。
【００５２】
一方、カメラ機能のモニタ表示中において、開閉角度が１８０度でなければ（ステップＤ５でＮＯ）、すなわち、開閉角度が０度あるいは開閉途中であれば、この主表示部１３の内容（モニタ画像）を１８０度回転してその表示内容を切り替える表示制御を行う（ステップＤ７）。この場合、回動終了あるいは回動開始の前に、主表示部１３の内容がヒンジ部方向を上にした表示であれば、ヒンジ部方向を下にした表示に切り替え制御され、逆にヒンジ部方向を下にした表示であれば、ヒンジ部方向を上にした表示に切り替え制御される。従って、スタンドスタイルのように操作部筐体１２と表示部筐体１４とが開いている開閉途中の状態において、表示部筐体１４を回動して凸部１５ｄが１８０度用の凹部１５ｃに入った場合（回動終了）あるいはその凹部１５ｃから出始めた場合（回動開始）を検出した場合に、カメラ機能のモニタ表示中であれば、モニタ画像を１８０度回転してヒンジ部方向を上にした表示に切り替える。なお、スタンドスタイルのように操作部筐体１２と表示部筐体１４とが開いている開閉途中の状態においては、回動終了の前、回動開始の前の何れの場合もモニタ画像は正像表示となっている。
【００５３】
以上のように、この実施例において中央制御部２１は、回動状況検出部３０によって検出された表示部筐体１４の回動に応じて主表示部１３の内容を回転制御するようにしたので、筐体の回動に応じて主表示部１３の内容を適切に制御することができ、新たなスタイル検出手段を設けることがなく、しかも、使い易い携帯電話機を提供することが可能となる。
【００５４】
また、表示部筐体１４の回動開始が回動状況検出部３０によって検出された場合に、主表示部１３の内容を１８０度回転する表示制御を行うようにしたので、例えば、反オープンスタイルから表示部筐体１４を少し回し始めた時点（回動開始時点）で、表示内容を１８０度回転することができる。従って、反オープンスタイルでの回動開始時点で反オープンスタイルの表示状態を解除してオープンスタイルの表示状態に変更することができる。
【００５５】
中央制御部２１は、表示部筐体１４の回動終了が回動状況検出部３０によって検出された場合に、主表示部１３の内容を１８０度回転する表示制御を行うようにしたので、例えば、オープンスタイルから反オープンスタイルに変更した時点（変更した直後）で、表示内容を１８０度回転することができる。従って、反オープンスタイルで表示部筐体１４を開閉してスタンドスタイルに変更したとしても、反オープンスタイルと同じ表示内容を見ることができ、スタンドスタイルでの表示の上下の向きが正しい向きとなり、スタンドスタイルが使用し易くなる。
【００５６】
カメラ機能のモニタ表示中においては、表示部筐体１４の回動に応じて表示内容を１８０度回転する表示制御を行うと共に鏡面反転する表示制御を行うようにしたので、各スタイルでカメラ機能を使用する際にも使用し易くなる。
【００５７】
カメラ機能が動作中（カメラモニタ表示中）であるか否かを判別し、カメラ機能のモニタ表示中であれば、鏡面反転する表示制御を行い、モニタ表示中でなければ、表示内容を１８０度回転する表示制御を行うようにしたので、カメラ機能を使用する場合、使用しない場合でも使い易い携帯電話機を提供することが可能となる。
【００５８】
なお、上述した実施例において、電源オン操作に応じた表示制御処理（図１３のフローチャート）では、開閉途中での回動角度が０度あるいは回動途中であれば（ステップＢ９でＹＥＳ）、オープンスタイルと同じ表示状態となるようにヒンジ部方向を下にする表示制御を行い（ステップＢ１０）、回動角度が１８０度であれば（ステップＢ９でＮＯ）、スタンドスタイルと同じ表示状態となるようにヒンジ部方向を上にする表示制御を行うようにしたが（ステップＢ１１）、図１３のステップＢ９では、回動角度０度のみを判別するようにしてもよい。これによって開閉途中において回動角度が０度の場合には、オープンスタイルと同じ表示状態となり、回動角度が１８０度の場合と回動途中の場合には、スタンドスタイルと同じ表示状態となる。このことは、カメラ起動に応じた表示制御処理（図１４のフローチャート）でも同様であり、図１４のステップＣ１０では回動角度０度であるかを判別すればよい。
【００５９】
また、電源オン操作に応じた表示制御処理（図１３のフローチャート）において、開閉角度が１８０度の場合に、回動角度が０度あるいは回動途中であれば（ステップＢ１３でＹＥＳ）、オープンスタイルと同じ表示状態となるようにヒンジ部方向を下にする表示制御を行い（ステップＢ１４）、回動角度が１８０度であれば（ステップＢ１３でＮＯ）、反オープンスタイルと同じ表示状態となるようにヒンジ部方向を上にする表示制御を行うようにしたが（ステップＢ１５）、図１３のステップＢ１３は、回動角度０度を判別するようにしてもよい。これによって開閉角度が１８０度の場合において、回動角度が０度であれば、オープンスタイルと同じ表示状態となり、回動角度が１８０度の場合と回動途中の場合には、反オープンスタイルと同じ表示状態となる。このことは、カメラ起動に応じた表示制御処理（図１４のフローチャート）でも同様であり、図１４のステップＣ１６では回動角度０度であるかを判別すればよい。
【００６０】
また、回動検出に応じた表示制御処理（図１５のフローチャート）において、１８０度への回動終了あるいは１８０度からの回動開始をチェックするようにしたが（ステップＤ１）、このステップＤ１では、０度からの回動開始あるいは０度への回動終了をチェックするようにしてもよい。すなわち、凸部１５ｄが０度用の凹部１５ｃから出始めたか、あるいはその凹部１５ｃに入ったかによって回動状況検出部３０は、表示部筐体１４の回動開始あるいは回動終了を検出するようにしてもよい。
【００６１】
また、オープンスタイルあるいは反オープンスタイルとなる開閉角度を１８０度としたが、これに限らず、例えば、１５０度など、筐体構造に応じた角度であってもよい。このことは回動角度であっても同様である。また、回動状況検出部３０、開閉状況検出部３１は、加速度センサ、磁気センサなどによって構成したものであってもよい。その他、携帯電話機に限らず、例えば、ＰＤＡ、電子カメラ、電子腕時計、音楽再生機などの端末装置であっても同様に適用可能である。
【図面の簡単な説明】
【００６２】
【図１】端末装置として適用した携帯電話機が利用可能な通信ネットワークシステムを示したブロック図。
【図２】携帯電話機１の外観図で、（Ａ）はオープンスタイル、（Ｂ）はオープンスタイルの状態においてその反対側から見た図。
【図３】携帯電話機１の基本的な構成要素を示したブロック図。
【図４】回動状況検出部３０の機構部分を説明するための図で、（Ａ）、（Ｂ）は、ヒンジ部１５を構成する回動用ヒンジ軸の接合部分を示した図、（Ｃ）は、回動角度０度の状態、（Ｄ）は、回動途中の状態、（Ｅ）は、回動角度１８０度の状態を示した図。
【図５】開閉状況検出部３１の機構部分を説明するための図で、（Ａ）、（Ｂ）は、ヒンジ部１５を構成する開閉用ヒンジ軸の接合部分を示した図、（Ｃ）は、開閉角度０度の状態、（Ｄ）は、開閉途中の状態、（Ｅ）は、開閉角度１８０度の状態を示した図。
【図６】表示制御テーブルＨＴを説明するための図。
【図７】クローズスタイルでの外観図。
【図８】（Ａ）はオープンスタイルでの外観図、（Ｂ）はオープンスタイルでの従来のメニュー画面、（Ｃ）は本実施例のメニュー画面、（Ｄ）はカメラ機能のモニタ画面を示した図。
【図９】（Ａ）は反オープンスタイルでの外観図、（Ｂ）は反オープンスタイルを反対側から見た図、（Ｃ）は反オープンスタイルでの従来のメニュー画面、（Ｄ）は本実施例のメニュー画面、（Ｅ）はカメラ機能のモニタ画面を示した図。
【図１０】（Ａ）はスタンドスタイルでの外観図、（Ｂ）はスタンドスタイルでの従来のメニュー画面、（Ｃ）は本実施例のメニュー画面、（Ｄ）はカメラ機能のモニタ画面を示した図。
【図１１】（Ａ）はビュースタイルでの外観図、（Ｂ）はビュースタイルでの従来のメニュー画面、（Ｃ）は本実施例のメニュー画面、（Ｄ）はカメラ機能のモニタ画面を示した図。
【図１２】電源投入に伴って実行開始される携帯電話機１の全体動作を示したフローチャート。
【図１３】電源オン操作に応じた表示制御処理（図１２のステップＡ２）を詳述するためのフローチャート。
【図１４】カメラ起動に応じた表示制御処理（図１２のステップＡ７）を詳述するためのフローチャート。
【図１５】回動検出に応じた表示制御処理（図１２のステップＡ１２）を詳述するためのフローチャート。
【符号の説明】
【００６３】
１  携帯電話機
１１  主操作部
１２  操作部筐体
１３  主表示部
１４  表示部筐体
１５  ヒンジ部
１６  カメラレンズ部
２１  中央制御部
２２  ＲＯＭ
２３  ＲＡＭ
２４  無線通信部
２６  表示部
２７  操作部
２８  カメラ撮像部
３０  回動状況検出部
３１  開閉状況検出部
ＨＴ  表示制御テーブル
【図１】
2009094985.tif 000003
【図２】
2009094985.tif 000004
【図３】
2009094985.tif 000005
【図４】
2009094985.tif 000006
【図５】
2009094985.tif 000007
【図６】
2009094985.tif 000008
【図７】
2009094985.tif 000009
【図８】
2009094985.tif 000010
【図９】
2009094985.tif 000011
【図１０】
2009094985.tif 000012
【図１１】
2009094985.tif 000013
【図１２】
2009094985.tif 000014
【図１３】
2009094985.tif 000015
【図１４】
2009094985.tif 000016
【図１５】
2009094985.tif 000017